(57)【要約】【課題】組み立てが容易な挿入口照明装置及び電子機器を提供する。【解決手段】ＳＤカード３が挿入されるデバイス挿入口４が開口した装置本体に、前記ＳＤカード３を収容し電気接続するＳＤカード用コネクタ７をプリント基板８に実装して内設し、前記装置本体内にＬＥＤ９を設けると共に、プリント基板８を前記デバイス挿入口４に向けて延出させて延出部２２を形成し、前記ＬＥＤ９の光を前記延出部２２に照射して前記デバイス挿入口４を照明する構成とした。【選択図】図１
2007272321.tif 000002
【特許請求の範囲】
【請求項１】
薄板形状デバイスが挿入される挿入口が開口した装置本体に、前記薄板形状デバイスを収容し電気接続するデバイスコネクタを回路基板に実装して内設した電子機器の挿入口照明装置であって、
前記装置本体内に設けられた光源と、前記回路基板を前記挿入口に向けて延出させてなる延出部とを有し、前記光源の光を前記延出部に照射して前記挿入口を照明することを特徴とする挿入口照明装置。
【請求項２】
請求項１に記載の挿入口照明装置において、
照明パターンを制御する光透過パターンを前記延出部に形成したことを特徴とする挿入口照明装置。
【請求項３】
請求項２に記載の挿入口照明装置において、
前記回路基板が、透明絶縁板と、当該透明絶縁板の少なくとも一方の面を覆う金属箔とを有し、前記延出部を覆う金属箔を除去して前記光透過パターンを形成した
ことを特徴とする挿入口照明装置。
【請求項４】
請求項２または３に記載の挿入口照明装置において、
前記挿入口の中央よりも両端付近の光透過面積を小さくした前記光透過パターンを形成したことを特徴とする挿入口照明装置。
【請求項５】
薄板形状デバイスが挿入される挿入口が開口した装置本体に、前記薄板形状デバイスを収容し電気接続するデバイスコネクタを回路基板に実装して内設した電子機器であって、
前記装置本体内に光源を設けると共に、前記回路基板を前記挿入口に向けて延出させて延出部を形成し、前記光源の光を前記延出部に照射して前記挿入口を照明することを特徴とする電子機器。
【発明の詳細な説明】
【技術分野】
【０００１】
本発明は、カード型デバイスが挿入される挿入口を照明する技術に関する。
【背景技術】
【０００２】
従来、ＣＤやＤＶＤ等の光ディスクに記録された各種データを再生する記録媒体再生装置において、記録媒体挿入口を照明して記録媒体挿入口の位置を把握し易くしたものが知られている（例えば、特許文献１参照）。また近年では、例えばＳＤカード等のカード型半導体メモリの記憶容量の向上に伴い、音楽データ、映像データ或いは静止画データ等がカード型半導体メモリに記録されるようになっており、このカード型半導体メモリを読み取り再生可能に構成された記録媒体再生装置も知られており、この種の記録媒体再生装置においても、カード型半導体メモリのメモリ挿入口を照明するようにしたものが知られている。
【０００３】
従来のメモリ挿入口の照明構造について説明すると、一般に、従来の記録媒体再生装置１００は、図５に示すように、装置本体の前面部に樹脂製のエスカッション１１０を備えている。このエスカッション１１０にはＳＤカードを挿入するメモリ挿入口１１１が形成され、このメモリ挿入口１１１の奥にはＳＤカード用コネクタ１１２が配設されている。また、メモリ挿入口１１１の底面部１１１ＡとＳＤカード用コネクタ１１２との間の隙間１１３には透明樹脂製の導光部材１１４が嵌合されている。そして、この導光部材１１４が略下方に延び、ＳＤカード用コネクタ１１２の下方のＬＥＤ基板１１６表面に実装されたＬＥＤ１１５が導光部材１１４の下端部１１４Ａに光を照射して当該導光部材１１４を光らせ、メモリ挿入口１１１を照明する構造となっている。
【特許文献１】特開２０００−１３２９５５号公報
【発明の開示】
【発明が解決しようとする課題】
【０００４】
しかしながら、従来の技術にあっては、エスカッション１１０とメモリ挿入口１１１との間の隙間が狭い場合には導光部材１１４の取り付けが困難であり、また、作業性も悪くなる、といった問題がある。
本発明は、上述した事情に鑑みてなされたものであり、組み立てが容易な挿入口照明装置及び電子機器を提供することを目的とする。
【課題を解決するための手段】
【０００５】
上記目的を達成するために、本発明は、薄板形状デバイスが挿入される挿入口が開口した装置本体に、前記薄板形状デバイスを収容し電気接続するデバイスコネクタを回路基板に実装して内設した電子機器の挿入口照明装置であって、前記装置本体内に設けられた光源と、前記回路基板を前記挿入口に向けて延出させてなる延出部とを有し、前記光源の光を前記延出部に照射して前記挿入口を照明することを特徴とする。
【０００６】
また本発明は、上記発明において、照明パターンを制御する光透過パターンを前記延出部に形成したことを特徴とする。
【０００７】
また本発明は、上記発明において、前記回路基板が、透明絶縁板と、当該透明絶縁板の少なくとも一方の面を覆う金属箔とを有し、前記延出部を覆う金属箔を除去して前記光透過パターンを形成したことを特徴とする。
【０００８】
また本発明は、上記発明において、前記挿入口の中央よりも両端付近の光透過面積を小さくした前記光透過パターンを形成したことを特徴とする。
【０００９】
また上記目的を達成するために、本発明は、薄板形状デバイスが挿入される挿入口が開口した装置本体に、前記薄板形状デバイスを収容し電気接続するデバイスコネクタを回路基板に実装して内設した電子機器であって、前記装置本体内に光源を設けると共に、前記回路基板を前記挿入口に向けて延出させて延出部を形成し、前記光源の光を前記延出部に照射して前記挿入口を照明することを特徴とする。
【発明の効果】
【００１０】
本発明によれば、デバイスコネクタを実装する回路基板を挿入口に向けて延出させた延出部に光源の光を照射して挿入口が照明されるため、照明用の導光部材を用いる必要がなく、装置の組み立てが容易となる。
【発明を実施するための最良の形態】
【００１１】
以下、図面を参照して本発明の実施の形態について説明する。
図１は、本実施形態に係る車載用機器の構成を示す断面視図である。なお、同図には、本発明に係る主要な部位のみを示す。この図に示すように、車載用機器１は、図示せぬ本体フレームと、当該本体フレームの前面部に設けられた樹脂製のエスカッション２とを備えている。本体フレーム及びエスカッション２には、カード型（略矩形薄板形状）半導体メモリデバイスの一態様であるＳＤカード３が挿入される正面視略矩形のデバイス挿入口４が形成されている。
【００１２】
上記エスカッション２には、デバイス挿入口４の縁部を正面に向けて突出させてなるガイド部５が形成され、このガイド部５にＳＤカード３が案内されてデバイス挿入口４に導かれる。デバイス挿入口４の奥にはＳＤカード用コネクタ７が配設されている。このＳＤカード用コネクタ７はプリント基板８の片側の面（上面）に表面実装されて本体フレーム内に固定されており、これらＳＤカード用コネクタ７とプリント基板８とがデバイス駆動部６を構成している。また、プリント基板８の他方の面（下面）には正面に向けて光を照射する（すなわち、端面に光照射面が形成されたサイドビュー型の）ＬＥＤ９が実装されており、このＬＥＤ９の照射光によりデバイス挿入口４が照明される。
【００１３】
図２は、デバイス駆動部６の構成を示す斜視図である。この図に示すように、上記ＳＤカード用コネクタ７は、ＳＤカード３の幅寸法及び厚さ寸法に応じた大きさの挿入口１０が正面に開口し上記ＳＤカード３を収容する有底矩形状のハウジング１１を有している。ハウジング１１内の収容空間１２の底面１２Ａには、ＳＤカード３の表面の所定位置に互いに絶縁されて配列された複数の平面電極に押圧接触する複数の弾性コネクタ（接触子）１３が設けられ、これにより、ハウジング１０に収容されたＳＤカード３とカード用コネクタ７とが電気接続される。
【００１４】
上記ハウジング１０の一側面には、各弾性コネクタ１３から引き出された複数の表面実装用端子１３が設けられ、これらの表面実装用端子１４が上記プリント基板８に半田付けされてＳＤカード用コネクタ７がプリント基板８の片側の面（上面）に表面実装されている。
【００１５】
このプリント基板８は、前掲図１及び図２に示すように、ＳＤカード用コネクタ７が実装されるコネクタ実装部２１と、当該ＳＤカード用コネクタ７よりも正面に向けて延出する延出部２２とを有し、この延出部２２と上記ＬＥＤ９とを有して挿入口照明装置５０が構成されている。このプリント基板８は、前掲図１に示すように、延出部２２の先端部２２Ａをデバイス挿入口４の底面部４Ａに当接させて本体フレームに固設され、この延出部２２により、エスカッション２に形成されたデバイス挿入口４とＳＤカード用コネクタ７との間の底面側の隙間が塞がれる。
【００１６】
上記延出部２２のうち、上記ＳＤカード用コネクタ７が実装される側の面（上面）には、前掲図２に示すように、光を透過する光透過パターン３１が形成されている。詳述すると、図３に示すように、プリント基板８は、透明樹脂材からなる基材としての透明絶縁板４０の両面に導電膜としての銅箔４１が張られて構成されている。そして、実装部２１の銅箔４１をエッチングしてＳＤカード用コネクタ７の実装用の電気配線を形成し、同様にして、プリント基板８の反対側の実装部２１にＬＥＤ９の実装用の電気配線を形成する。
【００１７】
また、プリント基板８の延出部２２にあっては、一方の面の銅箔４１がエッチングにより全て除去され、他方の面（前掲図２では上面）の銅箔４１は、光透過パターン３１のパターン形状に含まれる箇所のみが除去される。そして、前掲図１に示すように、この延出部２２の下面に向けてＬＥＤ９が光を照射することで、延出部２２の光透過パターン３１に沿って光が透過し、当該光透過パターン３１に応じた照明パターンでデバイス挿入口４が照明されることとなる。
【００１８】
ここで、ＬＥＤ９は、デバイス挿入口４の横幅方向の略中央に位置するようにプリント基板８の下面に配設され、正面に向けて（前面部のエスカッション２に向けて）光を照射する。このとき、ＬＥＤ９からの照射光の広がり角はデバイス挿入口４の横方向に大きくなる傾向があるため、本実施形態では、前掲図２に示すように、延出部２２の中央部よりも両端側に向かうにつれて光透過面積を減少させた光透過パターン３１とすることで、デバイス挿入口４の両端よりもはみ出した箇所が照明されてしまうのを防止している。
【００１９】
以上説明したように、本実施形態によれば、ＳＤカード用コネクタ７が実装されたプリント基板８をデバイス挿入口４に向けて延出させて延出部２２を形成し、この延出部２２にＬＥＤ９の光を照射してデバイス挿入口４を照明するようにしたため、ＬＥＤ９の光をデバイス挿入口４に導くための導光部材等の部材を必要とせず部品点数を減らすことができ、また、プリント基板８を装置本体に内設するだけで良いから組み立て性も向上させることができる。
【００２０】
特に、本実施形態によれば、プリント基板８の下面側にＬＥＤ９を実装しているため、デバイス駆動部６の取り付けにより挿入口照明装置５０の取り付けも完了し、作業性を向上させることができる。
【００２１】
また、本実施形態によれば、照明パターンを制御する光透過パターン３１を延出部２２に形成することで、多種多様な照明パターンを実現し、装置の意匠性を向上させることができる。
【００２２】
また、本実施形態によれば、デバイス挿入口４の中央よりも両端付近の光透過面積を小さくした光透過パターン３１を形成するようにしたため、デバイス挿入口４の両端よりもはみ出た部分の照明を弱くすると共に、デバイス挿入口４を明るく照明することができる。
【００２３】
なお、上述した実施の形態は、あくまでも本発明の一態様を示すものであり、本発明の範囲内で任意に変形および応用が可能である。
【００２４】
例えば、上述した実施形態では、プリント基板８の下面側にＬＥＤ９を実装する構成としたが、これに限らず、図４に示すように、プリント基板８の下方に別途プリント基板６０を配設し、このプリント基板６０に、上面に光放射面を有するＬＥＤ９Ａを実装し、延出部２２の下方から光を照射するように車載用機器１Ａを構成しても良い。
【００２５】
また例えば、上述した実施形態では、カード型デバイスとして、カード型半導体メモリデバイスの一態様であるＳＤカード３を例示したが、半導体メモリデバイスに限らず、例えば、ＰＣカード等の他のカード型デバイスのデバイス挿入口にも本発明を適用可能である。また、上述した実施形態は、車載用機器に本発明を適用した場合を例示したが、これに限らず、他の電子機器にも適用可能であることは勿論である。
【図面の簡単な説明】
【００２６】
【図１】本発明の実施形態に係る車載用機器の構成を示す断面視図。
【図２】デバイス駆動部の構成を模式的に示す斜視図。
【図３】プリント基板の構成を模式的に示す斜視図。
【図４】本発明の変形例に係る車載用機器の構成を示す断面視図。
【図５】従来の挿入口の照明構造を示す図。
【符号の説明】
【００２７】
１、１Ａ  車載用機器（電子機器）
３  ＳＤカード
４  デバイス挿入口
７  ＳＤカード用コネクタ（デバイスコネクタ）
８  プリント基板（回路基板）
９、９Ａ  ＬＥＤ（光源）
２２  延出部
３１  光透過パターン
４０  透明絶縁板
５０  挿入口照明装置
【図１】
2007272321.tif 000003
【図２】
2007272321.tif 000004
【図３】
2007272321.tif 000005
【図４】
2007272321.tif 000006
【図５】
2007272321.tif 000007